(57)【特許請求の範囲】
【請求項１】
ケーブル接続部の周囲を覆うスリーブが、軸方向に沿って二分割しうる突き合わせ接合面を備えて、該接合面を固定手段で連結一体化される筒状スリーブであって、前記スリーブの両端に前記ケーブル接続部に接続されるケーブルを挿通するケーブル挿通孔が複数ある端面板と、該端面板に対設され、かつケーブルを嵌挿する挿通部のあるケーブル把持金具とを備えたクロージャにおいて、前記ケーブル把持金具に固定したケーブルから導出されるケーブル心線の心線接続部及び該心線接続部に連なる心線余長収納部を備えた心線ケースを備え、該心線ケースが複数のケーブル心線接続用のコネクタ保持部と、該コネクタ保持部に収納されたコネクタから導出されるケーブル心線余長を引き廻し保持する心線余長収納部とを備えた心線収納トレイの外壁両側部に一対のヒンジ支承部を突設し、各ヒンジ支承部を隣接する心線収納トレイのヒンジ支承部に連続接合して、各心線収納トレイを回動自在で着脱自在に連結配備すると共に、隣接される心線収納トレイ間を係脱自在に接続する係止爪部と係止受部とを互いにトレイ本体外壁に対応配備し、さらに、各トレイ本体の心線導出入部に心線を挿通する弾性保持部材を係脱自在に圧入嵌合したことを特徴とするケーブル接続用クロージャ。
【請求項２】
前記心線ケースが、上下多段に心線収納トレイを複数重積配備したものであって、最下段の心線収納トレイをスリーブ内に固定した連結金具に着脱自在に定着すると共に、最上段の心線収納トレイにヒンジ部で開閉自在に蓋体を備えた請求項１または２記載のケーブル接続用クロージャ。
【請求項３】
前記心線収納トレイが、心線導出入部を複数備え、内壁に対向して間隔をあけて突設された立壁で区画されたコネクタ保持部と、心線を巻回する仕切壁に心線押え片を突設した心線余長収納部とを備えた略長方形ケースであって、トレイ内に固定したスタンドベースに着脱自在に係止されることを特徴とする請求項１または２記載のケーブル接続用クロージャ。
【請求項４】
前記連結金具が、スリーブ両端にある端面板に沿設される一対のケーブル把持金具と、テンションメンバ把持金具とを一体成形されるものであって、中央部位に前記心線収納トレイの載置用の受座を備えたことを特徴とする請求項２記載のケーブル接続用クロージャ。
【請求項５】
前記弾性保持部材が、心線を挿通する貫通孔と、該貫通孔に沿い孔部から外周に延在する分離用のスリットとを備え、前記心線収納トレイの心線導出入部に形成された係止片を嵌入する係合凹部が前記スリットのある反対側、外側面に備えられていることを特徴とする請求項２、３または４記載のケーブル接続用クロージャ。
【請求項６】
前記端面板が、ケーブル挿通孔から端面板外側面に連通する切除可能のスリットと、ケーブル挿通孔に切除可能の薄肉キャップとを設けると共に、スリット及びケーブル挿通孔に開き止め接続片と剛性保持部材とをそれぞれ着脱自在に嵌装したことを特徴とする請求項２、３または４記載のケーブル接続用クロージャ。
【請求項７】
前記ケーブル把持金具が、ケーブル把持金具本体のケーブル挿通凹部に対向配備される弯曲保持片をフック状の係止部に係止して、該弯曲保持片の自由端を取付部材で締着連結し、このケーブル挿通凹部と弯曲保持片とにそれぞれ分割スペーサを着脱自在に対向配備したことを特徴とする請求項２、３、４、５または６記載のケーブル接続用クロージャ。
【請求項８】
前記分割スペーサが、円弧内周面及び外周面に山溝を形成した円弧状片であって、該外周面に突設した凸部を前記ケーブル挿通凹部及び弯曲保持片の凹部または孔部に着脱自在に嵌合させたことを特徴とする請求項７記載のケーブル接続用クロージャ。
【発明の詳細な説明】
【０００１】
【発明の属する技術分野】
本発明は、光ケーブルなどの通信ケーブルの接続部を保護するためのクロージャ、特に光ケーブル用クロージャの改良に関するものである。
【０００２】
【従来の技術】
一般に、ケーブル接続用クロージャは、ケーブル心線を引込、接続を行う接続部及び心線余長を保護する心線ケースと、ケーブル接続部の両側のケーブルを貫通して取付けられた端面板と、前記接続部をかぶせて収容する縦割りで二分割しうる筒状スリーブとからなり、両端面板間に装架したスリーブの互いに対向した分割突き合わせ部分をボルトまたはバンドなどの固定手段で連結して一体化して、ケーブル接続部を気密に保護する構造のものが多用されている。
【０００３】
【発明が解決しようとする課題】
従来のケーブルの接続部を保護する収容体のクロージャでは、ケーブルの心線分岐、引込、接続等を行う場合に、ケーブル心線の接続部と該接続部の余長を収納するための複数の収納トレイからなる心線ケース一つの収納トレイの引出状態で心線相互をコネクタなどで接続し、この接続心線の余長をループ状に巻いて、心線収納トレイ内に接続部とともに収納して収納トレイを元に戻すと、心線余長部がたるみケーブルの伝送特性に悪影響を与えるし、心線収納トレイに収納したケーブル心線の余長状況をも確認できなくなる不便があり、多数心線となるとそれだけ取扱い煩雑となる傾向がある。また、スリーブは、スリーブの変形防止の剛性を保ち、湿気の浸入を阻止しなければならないために、スリーブの各構成部分は互いに密に結合され、かつケーブル端との間の結合も密でなければならず、端面板から導出されるケーブルのセット取扱いが煩雑で、ケーブルの固定化を十分満足させるためには気密材を設けたケーブル収容体は、製作煩雑で高価となり経費を要するし、耐久性の面でも問題があって、しかも端面板を用いても気密確保のために締め付け力の管理や組立作業性が煩雑となって問題があった。
本発明は、これら従来の欠点を排除しようとするもので、ケーブル接続用クロージャにおいてケーブル接続部の心線余長の取扱を簡便確実化し、ケーブル接続部の収容体の変形防止をも図り、ケーブルの組込セットが簡便で安全性と気密性をも高めると共に、ケーブルの固定を簡便で安全にし組立作業性を大幅に向上できるケーブル接続用クロージャを構成簡単で安価な形態で提供することを目的とするものである。
【０００４】
【課題を解決するための手段】
本発明は、ケーブル接続部の周囲を覆うスリーブが、軸方向に沿って二分割しうる突き合わせ接合面を備えて、該接合面を固定手段で連結一体化される筒状スリーブであって、前記スリーブの両端に前記ケーブル接続部に接続されるケーブルを挿通するケーブル挿通孔が複数ある端面板と、該端面板に対設され、かつケーブルを嵌挿する挿通部のあるケーブル把持金具とを備えたクロージャにおいて、前記ケーブル把持金具に固定したケーブルから導出されるケーブル心線の心線接続部及び該心線接続部に連なる心線余長収納部を備えた心線ケースを備え、該心線ケースが複数のケーブル心線接続用のコネクタ保持部と、該コネクタ保持部に収納されたコネクタから導出されるケーブル心線余長を引き廻し保持する心線余長収納部とを備えた心線収納トレイの外壁両側部に一対のヒンジ支承部を突設し、各ヒンジ支承部を隣接する心線収納トレイのヒンジ支承部に連続接合して、各心線収納トレイを回動自在で着脱自在に連結配備すると共に、隣接される心線収納トレイ間を係脱自在に接続する係止爪部と係止受部とを互いにトレイ本体外壁に対応配備し、さらに、各トレイ本体の心線導出入部に心線を挿通する弾性保持部材を係脱自在に圧入嵌合したものである。
【０００５】
【発明の実施の形態】
ケーブル外被を必要長さ剥ぎ取り、内部のスロットロッドを剥ぎ取り際から所定寸法で切断したのち、テンションメンバを所定寸法になるようにしてケーブルの接続の準備を終了させる。即ち、ケーブル心線の切断端を互いにコネクタに連結して接続し、該コネクタを開放した心線収納トレイの一つのコネクタ保持部に嵌入保持し、コネクタから導出される心線余長をループ状に巻回して区画された心線余長収納部に挿入すると共に、心線に、心線径に選ばれた弾性保持部材を分離スリットから嵌挿し、該弾性シール部材を心線収納トレイの心線導出入部に圧入係合して固定化し、心線収納トレイを閉じて元に戻せば、心線接続部を個別単位でコネクタ収納部に嵌挿できるので瞬断防止も確実であり、しかも心線導出入部からテープ心線または単心線がストレートで出入させることで、マンホール（ＭＨ）、ハンドホール（ＨＨ）等へのクロージャ設置に対しても伝送特性に悪影響がなく、しかも心線確認作業も容易化ができる。
【０００６】
なお、心線ケースは、簡単に定着できるので、心線余長を収納するため接続作業終了後に心線にたるみが生じないし、伝送特性に影響を与えない配線整理ができ、余長取扱い作業も著しく簡便化できる。さらに端面板のケーブル挿通孔にある薄肉キャップ部とスリット部を切除開口し、スリット端末を拡開してケーブルを挿入しケーブル挿通孔に貫通させ、スリット部に山溝付のシール部材を装着し、開き止め接続片を嵌装してスリットを閉塞保持させ、該端面板外周部のスリット部を覆うようにテープ状ガスケットをなじませるように接着させる。その後、ケーブル把持金具に必要な内径のスペーサを用いて、ケーブル挿通凹部と弯曲保持片とに定着してケーブル外被に装着し、取付部材により所定トルクで締結してからテンションメンバをテンションメンバ把持金具に締結ねじにて必要トルクにて締め付ける。そして下スリーブに端面板を押しつけつつ、端面板ガスケットになじませてから、上スリーブをかぶせ、スリーブ相互を押えつけて中央部分から外へ相互に締結具を順次締めつけ取り付けて、組立て、ケーブルシール材や端面板の取付け姿勢を安定強固にすると共に、密封性も大幅に高められ、バルブより注入されたガスによってクロージャとして安全に用いられ、また連結を解くとスリーブをヒンジ中心に容易に展開させスリーブを開き内部の接続作業を簡便にできるものである。
【０００７】
【実施例】
本発明を図１乃至図７に示された上スリーブ２と下スリーブ１とからなる円筒状のスリーブと、スリーブの側面嵌合部３１  に嵌装された端面板３とを備えたクロージャの例で説明すると、開き止め接続片２４と剛性保持部材２５とを備えた端面板３，３に、幹線光ケーブル１０が貫通されてケーブル把持金具４で固定され、かつ、該ケーブルのテンションメンバが、テンションメンバ把持金具５に接続連結されている。前記上下スリーブ１，２は、円筒状のハウジングで、軸方向に沿って両側が分離接合面で上下に分割できるようにしたもので、合成樹脂、例えばＰＰ樹脂或いはガラス繊維を充填した難燃性のＦＲＰＰ或いは熱可塑性エラストマーなどから構成され、軸方向に縦割りに二分割展開する突き合わせ接合面と、該上下スリーブ１，２の両端に、嵌装される端面板３、例えば耐候性、耐オゾン性等の諸特性に優れたＥＰＤＭなどのゴム板材とを備えてあり、この端面板３の対面する接合面を含み、前記下スリーブ１の分割接合面にガスケット７を嵌合挾持しうる凹溝６を備えると共に、端面板３に対向する内面に、ケーブル外周に沿う押え挾持片からなるケーブル把持金具４と、テンションメンバ把持金具５および心線収納トレイ１５とを設けた連結金具８を固定装備してある。
【０００８】
前記心線ケースでは、心線収納トレイ１５の最下段を下スリーブ１内に固定した連結金具８に、ネジ１１、１２で着脱自在に定着すると共に、最上段の心線収納トレイ１５にヒンジで開閉自在の蓋体１５１  を備えてあり、ケーブル把持金具４は、ケーブル把持金具本体のケーブル挿通凹部１６に対向配備される弯曲保持片１３をフック状の係止部１４に係止して、該弯曲保持片１３の自由端を取付部材のネジ４１で締着連結し、このケーブル挿通凹部１６と弯曲保持片１３とにそれぞれ分割スペーサ３３を着脱自在に対向配備してケーブル外径に沿ったクランプができるようになっている（図４）。
また前記連結金具８としては、図４および図５に示すようにケーブル把持金具４とテンションメンバ把持金具５とを一体に形式され、前記心線収納トレイ１５を載置固定できる受座８０を備えている。この場合、前記端面板３の内面側に対向して下スリーブ１に固着した連結金具８上の両端にケーブル把持金具４、４があって挿入したケーブルのテンションメンバを把持金具５に固定ネジで順次取付け、中央部に心線収納トレイ１５を設け、芯線を分配ガイドして接続できるようにしてある。（図４及び図５）
【０００９】
さらに前記心線ケースとしては、図６及び図７のように複数のケーブル心線３６の接続用のコネクタ保持部３５と、該コネクタ保持部３５に収納されたコネクタ３８から導出されるケーブル心線余長を引き廻し、即ちループ状に巻回させて保持する心線余長収納部５２とを区画して備えた略長方形の心線収納トレイ１５を用い、該心線収納トレイ１５の外壁両側部で上下に一対のヒンジ支承部５３を突設し、各ヒンジ支承部５３を上下に隣接する心線収納トレイ１５のヒンジ支承部５３に連続接合し、両ヒンジ支承部５３にヒンジ支軸５４を嵌挿して、心線収納トレイ１５を回動自在で着脱自在に連結して、上下多数重積配備すると共に、隣接される各トレイ本体間を係脱自在に接続する係止爪部５５と係止受部５６とを互いにトレイ本体外壁に対応配備する。さらに、各心線収納トレイ１５の係止片５８のある心線導出入部５７には弾性保持部材６８を嵌装し、即ち心線の挿通孔６６と、該挿通孔６６に連通する分離スリット６７と係止凹部５８１  とのある弾性保持部材６８を心線径或いは心線数に応じて異なる挿通孔のあるものを選んで、係脱自在に舌片状の前記係止片５８に圧入嵌合して心線３６の保持を確実にしてあり、そして心線収納トレイ１５内には仕切壁３９に心線係止片６９が一体成形され、心線接続部となるコネクタ３８及び余長の心線３６を確実に保持できるようにしてある。従って、この心線ケースは心線収納トレイ１５で接続部品と心線余長のケース収納ができ、ケーブル挿入部からのファイバ配線の曲げ極少で心線収納時のねじれを防止でき安全かつ高密度収納で、高信頼性が得られる。
【００１０】
なお、前記心線導出部５７は、片側に設けたシングルタイプに限らず両側に対に設け、即ち４隅に設けたダブルタイプのものを用いることもできるし、しかも合成樹脂の射出成形により、心線収納トレイ１５を略正方形、長方形の四角形または楕円形に形成されるのでコネクタ保持部３５に隣設される心線余長収納部５２には所定間隔に配列されるケーブル押え用の係止片６９で伝送特性に悪影響が及ばないように心線がなめらかに湾曲したループ状に巻回保持できるように配慮してある。
【００１１】
また、前記端面板３に対向するスリーブ内面側に、ケーブル外周に沿う湾曲保持片１３からなるケーブル把持金具４と、テンションメンバ把持金具５および心線ケース固定部とを設けた連結金具８を固定装備するのがよく、さらに分割スリーブ対向接合面を締結するバックルを備えたり、必要に応じて前記スリーブ１の外周にバンドを着脱自在に巻回配備し、分離面での密封性から高められて連結できるようにして、端面板３間のクロージャ内の気密性を維持できるようにしてあり、互いに対向した接合面を固定手段で連結一体化できるようにすることや、スリーブの長手方向の片側を固定ヒンジまたは着脱ヒンジのリングで連結し、他側に締め付けと増し締めできるバックルとして備えることもできる。
【００１２】
なお、前記スリーブ１の分割接合面に形成されたガスケット嵌合凹溝６は、図８のように該凹溝６の両端部位を縮孔のガスケット挾圧部６１  とし、ガスケット７を嵌装する際に、両端を引き延ばし押し込み保持し、ガスケットの仮り止めで落下防止とガスケット７の倒れ込み防止とが確実にできるようにしてあるが、必要に応じガスケット７の両端にフランジ部７１  を設け、このフランジ部を外側端に引張って圧接することでも仮止め機態をはたすことができる。
また、前記スリーブ１のガスケット嵌合凹溝６に沿って障壁６５を両スリーブ１，２の対称位置に突設して、該障壁６５を接合する他方のスリーブ内壁面に当接して結合され上下スリーブ１，２の水平方向のずれ防止構造となっていて、クロージャ内の気密性を維持できるようにしてあり、互いに対向した接合面を固定手段で連結一体化できるようにしてある。即ち、前記上下スリーブ１，２を締結するのに、上下スリーブ１，２に突設した係止部６３に一方の下スリーブ１から他方の上スリーブ２に着脱自在に掛止されるループ状リングからなるヒンジ部６０と締結部７０とで連結一体化するものである。
【００１３】
前記端面板３としては、図９及び図１０に示す如く小判形或いは楕円形、円形などのゴム弾性体からなり、ケーブル挿通孔２０を少なくとも一つ形成し、該ケーブル挿通孔２０に孔を覆い切離しうる薄肉キャップ部２１を一体に備えると共に、ケーブル挿通孔２０に連通する切除可能のスリット２２を設けて、スリット２２で切開された端末を拡開しうるように構成すると共に、スリット２２及びケーブル挿通孔２０に剛性保持部材２５１  ，２５２  を着脱自在に嵌装し、該剛性保持部材２５１  ，２５２  を取外したのち薄肉キャップ部２１を選択的に切除開口して貫通孔として用いるようになっていて、ケーブルを嵌挿しやすく水平なスリット２２を有するケーブル挿通孔とし、該スリット２２を挟んで両側に跨がる開き止め接続片２４を嵌合保持する凹面部２３と、ケーブル挿通孔２０，２０間で中央部位に括れ部３０を設けてある。
前記開き止め接続片２４は、突起２４２  を突設して該突起２４２  を端面板３に形成した取付溝２４１  に挿入することで、端面板３の剛性を維持するようにしてある。なお、前記スリット２２を切開後はケーブルを通してから戻したスリット２２に剛性保持部材２５１  を挿入し、凹面部２３に開き止め接続片２４を当てがって、必要に応じ接着剤で連結して締結される構成となっていて、ケーブル挿通孔２０をクロージャの内外に貫通するようにしてある。
【００１４】
図１１及び図１２の例では、上下スリーブ１，２内に設けた側面嵌合部３１  を前記端面板３の外周に沿った内周壁で成形し、これに補強リブのある仕切り壁で内部と区画してあり、該側面嵌合部３１  に端面板３を嵌挿して、さらに内部に備えられる前記ケーブル把持金具４に対応できるようになっている。そして端面板３及びケーブル把持金具４にはそれぞれ分割スペーサ３３およびスペーサ４３を着脱自在に対向配備してあるが、この側面嵌合部３１  に嵌挿される端面板３は、固定強化と外力に対する端面板３の変形防止に役立ててある。
【００１５】
なお、前記端面板３としては、ゴムまたは樹脂スペーサで等径または異径の複数穴のケーブル挿通孔２０があってもよく、各穴ごとにスリット２２があり、その端末を開けることで、ケーブルを挿入嵌合できる形態となっていて、ケーブル挿通孔２０の穴径とケーブル径の変化対応は、端面板３にあるスペーサ４３を介して行うようにしてある。また、前記スリット２２は、ケーブルが挿入されない時は端面板３の片面と外周面が薄肉で塞がれてあり、ケーブル挿入時に挿入孔のキャップ部２１を切除して開くことができ、作業性の向上と気密信頼性の向上をはかっている。
前記スリット２２を切除して使用する場合には、ケーブル挿入後、再度閉じる工程時に切除された外周部の開く作用やズレを防止するために開き止め接続片２４が凹面部２３に付設される。（図９）
さらに、端面板３の最外周面は、全周にわたって複数の山溝２６を設けてあり、スリーブ内面との圧縮力が得られて気密性を保つと共に、内部へ伝達される圧縮力によりケーブルとの気密性が得られるようにしてある。
即ち、下スリーブ１の端面嵌合部３１  と、端面板３との気密保持機構は、端面板３の外周に山溝２６を設け、締結部材の締め付け力を上下スリーブ１，２が受け山溝２６に伝わって気密を保持できるようにし、端面板ガスケットを不要として組立解体作業性を向上できるようにしてある。
【００１６】
なお、前記ケーブル把持金具に嵌挿される分割スペーサ３３は、図１３に示すように円弧内周面及び外周面に山溝３１とフランジ３２をそれぞれ形成した円弧状片であって、該外周面に突設した凸部３４を前記ケーブル挿通凹部１６及び弯曲保持片１７の凹部または孔部に着脱自在に嵌合させて備えられる。また前記端面板３のケーブル挿通孔２０、２０で形成される貫通孔またはケーブル導出孔には、ゴム製などでのスペーサ４３、或いはエアタイトテープを巻き付けてケーブルの外周面を密着できるようにすることが配慮されている。
前記スリーブ１から導出されるケーブルの周囲に備えられる中空円筒状のスペーサ４３は、一方に拡開できるように該スペーサ４３の片側にケーブル差込み挿入用のスリット４４を設けると共に、スペーサ４３の内周および外周にリング状に山溝４５，４６をそれぞれ備え、気密性の確保を容易にし、かつ組立、解体性の取扱作業の簡便化をはかるのがよい。（図１４）
【００１７】
このスペーサ４３は、ゴム弾性体を自然環境化で使用するので、環境温度に対応して収縮、膨張できるように、外周とスリーブ間、ケーブル挿入孔の内径とケーブル外周間に圧力変化に対応するスペーサと、圧力変化を極力少なくすることで、圧縮応力の確保、低温収縮防止を図り、さらにスペーサ４３はスリット加工してケーブル挿入しやすくし、外周面または／及び内周面にはリング状の山部を複数突出設けてある。前記端面板３のケーブル挿通孔２０に於いて、外径の異なるケーブルが挿入される場合、同一径の挿入孔で対応可能とするために、外径は挿入孔と同一とし内径はケーブル外径に対応したケーブルスペーサ４３にてその内径、外径に山溝を設けて、ケーブルにセットすることで気密性を確保出来る構造とするのがよい。
【００１８】
前記ヒンジ部６０と締結部７０とは、図１５及び図１６に示すように一方の下スリーブ１の一方開口端縁近傍のリング受凹部６３にループ状リング６１からなるヒンジ部材６０を間隔をあけて複数揺動自在に設けると共に、他方開口端縁近傍には締結部受凹部７３１  を間隔をあけて複数設け、また他方の上スリーブ２の一方開口端縁近傍には前記ヒンジ部材６０の係止凹部６３１  を間隔をあけて複数設けると共に、他方開口端縁近傍には前記締結部材受凹部７３１  に嵌合する係止突部７４を先端に備えた操作レバー７５をループ状リング７１でリング受凹部７３に揺動自在に枢支し、さらに、上下スリーブ１，２の分割接合縁外側に形成された凹条部７６に嵌入されて、ガスケット外側に沿う押え部材７７、例えばリング杆を前記締結部７０のループ状リング７１に移動自在に備えてある。 なお、前記ヒンジ部６０のリング挿入部６２，６２１  及び締結部７０のリング挿入部７２と、操作レバー挿入部７２１  と、リング受凹部６３、ヒンジ部材係止凸部６３１  及びリング受凹部７３、締結部材受凸部７３１  は、ループ状リング６１，７１を共通に使用できるように同じ構成として成形金型の簡素化をはかることが考慮されている。
【００１９】
そして、前記ヒンジ部６０のループ状リング６１をリング挿入部６２を支点として所定回動角度で保持されるストッパ６４が、前記スリーブ１の分割接合縁外側に突設されていて複数あるループ状リング６１を該ストッパ６４で回動停止させておいて上スリーブ２を下スリーブ１にかぶせて、ガスケット７を支点として上スリーブ２を引き起してリング係止凸部６３１  のリング挿入部６２１  に引掛けて戻すことで、複数あるループ状リング６１が一括してそれぞれ同時に係合され、ワンタッチ操作でスリーブ片側をヒンジ部６０として連結されたのち、スリーブ他側を締結部７０で締付ければよいようになっている。
【００２０】
前記下スリーブ１の一側縁に備えた締結部７０は、図１６に示す如くリング挿入凹部７２に金属丸棒のループ状リング７１を嵌装し、回動自在の操作レバー７５と、支点突起部７４とからなり、また前記ヒンジ部６０は、図１５に示すように、下スリーブ１の他側縁に備えたリング挿入部６２のリング受凹部６３に、金属丸棒のループ状リング６１が回動可能に配備され、該ループ状リング６１の他端が、下スリーブ１の挿入部６２に着脱自在に係止されるものからなっていて、スリーブ連結・開放が自在に行え、殊にループ状リング６１とループ状リング７１とが上下スリーブ１，２の一側縁及び他側縁のいずれにも使用できるように対応した同じ構成とするのがよい。
【００２１】
前記ヒンジ部６０に設けたストッパ機構としては、両側縁を合わせた場合、互いに対向する端面を利用し、外側に面を向けた傾斜面として両端面で形成される角度θは３０°〜９０°に設定されている。即ち、これら端面は、上下スリーブ１，２の回転時に端面が互いに当接し、係止されることによりストッパ機構として働き、上下スリーブ１，２の開放角度θが３０°〜９０°までに制限される構成となっており、９０°以下に設定すれば、反作業側に開いた上スリーブ２が倒れ難くなり、作業性を損なうことがない。
また、前記上下スリーブ１，２の一側縁の端部と他側縁の端部には、長さ方向に沿って凹溝６，６が形成され、該凹溝６に棒状のスリーブーシール材のガスケット７が設けられ、該ガスケット７は、ゴム等の弾性体からなり、横断面が楕円形状をなしていて、その長径方向を両上下スリーブ１，２による挟持方向に向けた状態として前記凹溝６に配置され、その挟持力によって圧縮させられることにより上下スリーブ１，２の間を密封している。
さらに、スリーブ内外面に山溝形状を持っていて、圧縮永久歪みに優れているスチレン系、またはオレフィン系の熱可塑性エラストマーを用いれば、安価で製造容易であり、加硫工程をも必要としないためスクラップの回収・再利用が容易である。
【００２２】
なお、前記スリーブ或いは端面板３にはバルブのあるガス注入口部５０を設けて、該ガス注入口部から封入ガスを注入してクロージャ接続部の保護を確実にするようにしてある。
【００２３】
このような構造の接続部を組み立てる場合、各ケーブル１０にスペーサ４３を挿入し、或いはケーブルシール材を巻き付け、ケーブルの端部の外被を端面板３を通してケーブル把持金具４により固定したのち、端面板３の接合面にシール材及びスリーブ１の接合面にガスケット７を介して上下スリーブ１，２の接合面を突き合わせて、該スリーブの外周にあるヒンジ部６０で掛け止め、かつ締結部７０を締め付け、必要に応じバンドを巻回して締め付けて固定するもので、順次所定間隔ごとに締結部７０の締め付けを繰り返して上下スリーブ１，２の全長にわたって気密維持を強固にし信頼性の高い密封構造にすることができる。
なお、この組立状態において、縦割りの接合面間にはスリーブガスケット７が径方向に圧縮されていることで、比較的小さい挾持力で高い気密性を保持することができ、また端面板３とケーブルとの間にはスペーサが、ケーブル長さ方向に介在されシール材があって、上下スリーブ１，２の姿勢が安定すると共に、組立てを容易にするし、気密性を著しく向上できる。このスリーブガスケット７は、断面形状を長方形として角部に丸味をつけて、上下面に凹溝を形成してリップ効果を持たせるようにし、組立性・気密性の向上を図ることが考慮されている。
【００２４】
一方、前記上下スリーブ１，２の締結状態を解除するときには、締結部７０の操作レバー７５を外して他方のスリーブ２の掛止部より外し、締結を解除して端面板３からスリット開き、止め用の接続片２４を外し、上下スリーブ１，２の接合面を離間して分割すれば、ケーブルの交換も容易にすることができる。
【００２５】
前記上下スリーブ１，２の分割接合面の密接固定化には、図１５及び図１６の如く、上下スリーブの分割縁部の長手方向の片側を脱着ヒンジ６０とし、他側を回動自在の締結部７０にて締め付け可能にすることで、作業性の向上を図り、また、ヒンジ側のスリーブ凹溝６に設置したスリーブガスケット７が、ヒンジを支点として上スリーブ２を閉じる方向に回転することにより、自動的に上下スリーブ１，２の凹溝６に収まるようにすることもできる。なおヒンジ機構としては、上下スリーブ１，２に固着したり脱着することが選べる。
【００２６】
前記心線取付金具の心線収納トレイ１５は、テープ毎に固定方式として５〜２０テープ／１トレイの実装ができるようにし、この収納トレイを多段に重積しヒンジ部で連結して必要トレイの位置が開放でき作業性を向上できるようにしてある。
【００２７】
この実施例では、上下スリーブの連結、締結は一側縁側のみで操作でき、他側縁側に作業空間が十分確保できない場合、例えばマンホール内のように狭い場所においても、作業者側（一側縁側）に作業空間があれば容易にクロージャの取付作業が行えるようにしたもので、２つの上下スリーブ１，２をヒンジ部６０と、締結部７０とで連結し、下スリーブ１に対して上スリーブ２を開いた状態とした場合、ヒンジ部６０に設けた斜面によって、上スリーブ２の開放角度が一定角度で制限される。即ち、上スリーブ２を開く方向への回転が一定角度で止まるようにしたもので、一方の分割スリーブを接続部に係合させた場合に、他方の分割スリーブが必要以上に開き、反作業側に他方の分割スリーブが回転して、作業側から遠くに位置してしまい作業性を悪化させる不都合を防ぐことができる。
さらに、２つの上下スリーブ１，２の分割されるスリーブ本体を同一形状としているので、両分割スリーブ本体を連結するための締結部用連結部材とヒンジ用連結部材をそれぞれ締結部７０とヒンジ部６０に取り付ける際に、２つの分割スリーブ本体を区別することなく取付作業ができ、また、これら分割スリーブ本体を同一の金型によって製作できるようにしてある。
【００２８】
【発明の効果】
本発明は、ケーブル接続部の周囲を覆うスリーブが、軸方向に沿って二分割しうる突き合わせ接合面を備えて、該接合面を固定手段で連結一体化される筒状スリーブであって、前記スリーブの両端に前記ケーブル接続部に接続されるケーブルを挿通するケーブル挿通孔が複数ある端面板と、該端面板に対設され、かつケーブルを嵌挿する挿通部のあるケーブル把持金具とを備えたクロージャにおいて、前記ケーブル把持金具に固定したケーブルから導出されるケーブル心線の心線接続部及び該心線接続部に連なる心線余長収納部を備えた心線ケースを備え、該心線ケースが複数のケーブル心線接続用のコネクタ保持部と、該コネクタ保持部に収納されたコネクタから導出されるケーブル心線余長を引き廻し保持する心線余長収納部とを備えた心線収納トレイの外壁両側部に一対のヒンジ支承部を突設し、各ヒンジ支承部を隣接する心線収納トレイのヒンジ支承部に連続接合して、各心線収納トレイを回動自在で着脱自在に連結配備すると共に、隣接される各心線収納トレイ間を係脱自在に接続する係止爪部と係止受部とを互いにトレイ本体外壁に対応配備し、さらに、各心線収納トレイの心線導出入部に心線を挿通する弾性保持部材を係脱自在に圧入嵌合したことにより、心線接続部の安全かつ高密度収納ができ、心線接続作業では、スリーブを開いて多心ケーブル外被を固定する把持金具間の心線を露呈してこれに接続する心線相互をコネクタによって接続し、心線の接続余長を心線ケース内に保持させつつ心線余長収納部に沿わせコネクタをコネクタ保持部に収納係止するので、心線の接続作業や接続状況の確認を容易に行うことができるし、多心ケーブルでも心線個別単位に収納して瞬断防止に役立たせると共に、カプセルタイプのクロージャの小型化が図れるし、しかも収納用品により接続部の増設も容易に可能となるほか、接続作業終了後に心線にたるみが生じないし、伝送特性に影響を与えない配線整理ができ、余長取扱い作業も著しく簡便化できる。
しかもスリーブ内での心線余長の整理保管が信頼性高く確保できると共に、ケーブル接続部の被覆収容作業を著しく迅速に行うことができ、しかも少ない締め付け個所で端面板を均一に圧迫して信頼性の高い密封を確保できると共に、スリーブの姿勢も安定して取扱い良好で、組立作業の容易化に役立ち、接続固定も楽に安全に行え構成も簡単で、安価な形態にすることができる。
【図面の簡単な説明】
【図１】 本発明の第１実施例を示し、一部を分離し、切欠して内部を表した使用状態の斜視図である。
【図２】 図１の例を示し、（ａ）一部切断平面図、（ｂ）はその正面図である。
【図３】 図１の例の組立状態を示し、（ａ）は一部切断側面図、（ｂ）は中央縦断面図である。
【図４】 図１の例の連結金具及び心線ケースを示し、（ａ）は平面図、（ｂ）はその側面図、（ｃ）はその正面図、（ｄ）は連結金具の正面図である。
【図５】 図１の例の連結金具を示し、（ａ）はその平面図、（ｂ）はその側面図、（ｃ）はその正面図である。
【図６】 図１の例の心線収納トレイを示し、（ａ）は展開平面、（ｂ）はその正面図である。
【図７】 図６の例に使用される弾性保持部材を示し、（ａ）は大径心線用のものの側面図、平面図、正面図、及び背面図、（ｂ）は複線用のものの側面図、平面図、及び正面図、（ｃ）は単線複線兼用のものの側面図、平面図及び正面図である。
【図８】 図１の下スリーブの一部の拡大切断側面図で、（ａ）は図１の側面嵌合部位置における拡大断面図、（ｂ）はスリーブ内部位置における拡大断面図である。
【図９】 本発明で用いられる端面板を示し、（ａ）拡大正面図、（ｂ）はその平面図である。
【図１０】 図９の例の断面を示し、（ａ）は図９のＡ−Ａ線における分離状態の切断側面図、（ｂ）は図９のＢ−Ｂ線における分離状態の切断側面図である。
【図１１】 本発明の第２実施例を示し、上スリーブを除いた状態で、（ａ）は平面図、（ｂ）はその正面図、（ｃ）は、Ｃ−Ｃ線における切断正面図、（ｄ）はＤ−Ｄ線における切断正面図である。
【図１２】 図１１のＥ−Ｅ線における上下スリーブの分離状態を示す一部切断側面図である。
【図１３】 本発明の第１実施例及び第２実施例で用いられるケーブル把持金具に組み込まれるスペーサを示し、（ａ）は分割面側から見た側面図、（ｂ）はその正面図、（ｃ）は図１３（ｂ）のＨ−Ｈ線における切断平面図である。
【図１４】 本発明で端面版に用いられるスペーサの一実施例で、（ａ）は側面図、（ｂ）はその正面図、（ｃ）は図１４（ｂ）のＧ−Ｇ線における切断平面図である。
【図１５】 本発明で用いられるスリーブ連結用のヒンジ部の一例を示す拡大斜視図である。
【図１６】 本発明で用いられるスリーブ連結用の締結部の拡大正面図である。
【符号の説明】
１，２  スリーブ
３  端面板
３１  側面嵌合部
４  ケーブル把持金具
５  テンションメンバ把持金具
６  凹溝
７  ガスケット
８  連結金具
１０  ケーブル
１３  弯曲保持片
１５  心線収納トレイ
１６  ケーブル挿通凹部
２０  ケーブル挿通孔
２１  薄肉キャップ部
２２  スリット
２４  接続片
２５  剛性保持片
２６  山溝
３３  分割スペーサ
３４  凸部
３５  コネクタ保持部
３６  心線
３８  コネクタ
３９  支切壁
４３  スペーサ
５２  心線余長収納部
５３  ヒンジ支承部
５４  ヒンジ支軸
５５  係止爪
５６  係止受部
５７  心線導出入部
５８  係止片
６０  ヒンジ部
６１  リング
６８  弾性保持部材
６９  心線係止片
７０  締結部
７１  リング
７５  操作レバー
【図１】
0003980196.tif 000002
【図２】
0003980196.tif 000003
【図３】
0003980196.tif 000004
【図４】
0003980196.tif 000005
【図５】
0003980196.tif 000006
【図６】
0003980196.tif 000007
【図７】
0003980196.tif 000008
【図８】
0003980196.tif 000009
【図９】
0003980196.tif 000010
【図１０】
0003980196.tif 000011
【図１１】
0003980196.tif 000012
【図１２】
0003980196.tif 000013
【図１３】
0003980196.tif 000014
【図１４】
0003980196.tif 000015
【図１５】
0003980196.tif 000016
【図１６】
0003980196.tif 000017